(57)【要約】【課題】波形鋼板ウエブを用いた橋梁ブロックにおいて、床版コンクリート打設前に波形鋼板ウエブと鉄筋とを一体化したプレハブ化鉄筋とすることで、橋梁ブロックの施工の合理化、迅速化を図る。【解決手段】  橋幅方向に複数配設された波形鋼板ウエブ１８とコンクリート２４の上下床版１９、２０とから構成され、隣合う２つの波形鋼板ウエブ１８と上下床版とで構成され、かつ橋軸方向に分割されてなる橋梁ブロックを場所打ち施工する工法において、室１７を構成する波形鋼板ウエブ１８と上下床版鉄筋２２を組立て一体化しているプレハブ化鉄筋を桁先端に設け、上下床版鉄筋に床版コンクリートを打設することで、各波形鋼板ウエブ１８と一体化した上下床版を構築して橋梁ブロック１６を構成し、該橋梁ブロック１６を橋軸方向に順次延長しながら架設する。【選択図】図２
2006063718.tif 000002
【特許請求の範囲】
【請求項１】
橋幅方向に複数配設された波形鋼板ウエブとコンクリートの上下床版から構成され、橋幅方向に隣合う２つの波形鋼板ウエブと上下床版とで構成され、かつ橋軸方向に分割されてなる橋梁ブロックを場所打ち施工する工法において、前記各室を構成する波形鋼板ウエブと上下床版鉄筋を組立て一体化してなり、かつ橋幅方向に複数に分割された分割プレハブ化鉄筋をヤードにて構築し、各分割プレハブ化鉄筋を順次桁先端に吊り上げ設置し、分割プレハブ化鉄筋の鉄筋同士を連結してプレハブ化鉄筋を構成し、前記上下床版鉄筋に床版コンクリートを打設することで、各波形鋼板ウエブと一体化した上下床版を構築して橋梁ブロックを構成し、該橋梁ブロックを橋軸方向に順次延長架設することを特徴とする波形鋼板ウエブを用いた張出し架設橋梁の施工方法。
【請求項２】
左右の波形鋼板ウエブの上部に上床版型枠を取り付け、その型枠上にて上床版鉄筋を組立てて分割プレハブ化鉄筋を構築したこと特徴とする請求項１記載の張出し架設橋梁の施工方法。
【請求項３】
間隔保持材にて分割プレハブ化鉄筋における各波形鋼板ウエブの間隔を保持すると共に、波形鋼板ウエブの上下部に支持位置決め用のジャッキを取り付け、下部ジャッキを支持部材に取付けることで波形鋼板ウエブの位置を調整すると共に、上部ジャッキで上床版型枠の位置を調整することを特徴とする請求項１または２記載の張出し架設橋梁の施工方法。
【請求項４】
波形鋼板ウエブに作業用の足場を取付けたことを特徴とする請求項１〜３の何れか１項記載の張出し架設橋梁の施工方法。
【請求項５】
前記分割プレハブ化鉄筋に床版コンクリートを打設した後の鉄筋ラップ部分は橋軸方向のみとし、橋軸直角方向の鉄筋同士はコンクリート打設前に連結されていて、打設コンクリートに埋設されて一体化されていることを特徴とする請求項１〜４記載の張出し架設橋梁の施工方法。
【発明の詳細な説明】
【技術分野】
【０００１】
本発明は、波形鋼板ウエブを用いた橋梁ブロック張出し架設橋梁の施工方法に係り、特に、複数の波形鋼板ウエブと上下床版を一体化してなる複数室を有した広幅で大型の橋梁ブロックにおいて、波形鋼板ウエブと鉄筋をあらかじめ一体化したプレハブ化鉄筋として構成すると共に、さらにこれを複数分割した分割プレハブ化鉄筋として構成する工程を含む点に特徴を有する張出し架設桁工法に関する。
【背景技術】
【０００２】
従来、ＰＣ橋工事における橋梁の構築に際しては、片持ち張出し架設作業装置を使用し、橋脚から橋体を橋軸方向に３〜５ｍに分割して左右に交互に張り出して構築するプレストレスコンクリート構造の橋梁の張出し架設工法が広範に採用されている。この張出し架設工法は、長大スパンの橋梁を容易に施工することができ、桁下空間条件に規制されず架橋を行なうことができる特徴がある。
【０００３】
前記張出し架設工法の特徴を生かしながら、さらに 急速施工、省力化施工が期待できる工法の代表例として、プレキャストセグメント工法が多く実施されている。プレキャストセグメント工法は、橋桁を橋軸方向に分割したセグメント（橋梁ブロック）を製作ヤードで予め製作しておき、架設現場まで運搬し、移動式作業車や移動式架設桁で吊り上げて所定の位置に移動させながら、既設のコンクリートセグメントにＰＣ鋼棒により接合する張出し架設桁工法である。
【０００４】
図１６は、従来例の概要を示し、橋脚１の上部に柱頭部セグメント２、中間支持台３を介して架設桁４が設置され、同図の左端よりトレーラー５で搬入した橋梁ブロック（セグメント）６を架設機７で吊り上げ、矢印方向に移送し所定角度旋回させると共に、既設のセグメントと接合対向面を互いに臨ませ、接合面に接着剤を塗布し、ＰＣケーブルを挿入し、緊張力を導入して接続するもので、前記の作業を繰り返して架設作業を進める。このプレキャストセグメント工法は、橋長が１０００ｍ以上の架設橋の場合に適している。
【０００５】
他方、橋長が比較的に短い場合には、架設コストの安い場所打ちコンクリートブロック工法が採用されている。この場所打ちコンクリートブロック工法は、橋桁を橋軸方向に分割し、移動式作業車や移動式架設桁の型枠装置内に鉄筋を組んだ後、コンクリートを打設コンクリートブロックが所定の強度に達した後にプレストレスを導入し、移動式作業車等を前進させて次の張出しブロックを施工する張出し架設工法であり、この種の従来技術として、特開平９−１０２５７８号（従来例１）、特開平１１−２９３６２９号（従来例２）等に開示の技術がある。
【０００６】
従来例１に開示されるＰＣ橋梁の主桁鉄筋施工法およびその装置は、プレキャストセグメントの製作にあたって、鉄筋を別途組立て、台車で桁先端に移動するというものである。
【０００７】
従来例２に開示の技術は、場所打ちコンクリートブロック工法で鉄筋籠を組立て型枠内に入れ、コンクリートを打設するというものである。
【０００８】
また、最近軽量化が可能な箱桁として波形鋼板ウエブと上下のコンクリート床版で構成された波形鋼板箱桁が多く採用されるようになった。これは、図１７に示すように、コンクリート箱桁に代えて、ウエブを波形鋼板ウエブ８とし、これと上下コンクリート床版１０、１１を複合して軽量化を図った箱型断面桁１２であり、上下床版１０、１１には、鉄筋１３が配筋されている。この波形鋼板箱桁１２は、ヤードで波形鋼板ウエブ８と上下のコンクリート床版１０、１１を一体化して製作するプレキャストセグメント形式のものと、現場で床版コンクリートを打設する場所打ちコンクリートブロック形式の両方がある。    
【０００９】
この種の橋梁ブロックの施工方法に関する従来技術として、特開２０００−１１０１１４号（従来例３）に開示の技術がある。従来例３に示される工法は、架設場所で波形鋼板ウエブを所定の配置に仮固定して、下部床版用鉄筋を組んでコンクリートを打設して下床版を構築し、つづいて、上部床版用鉄筋を組んでコンクリートを打設して上床版を構築するという工程を経て橋梁ブロックを構築するものである。
【特許文献１】特開平９−１０２５７８号公報
【特許文献２】特開平１１−２９３６２９号公報
【特許文献３】特開２０００−１１０１１４号公報
【発明の開示】
【発明が解決しようとする課題】
【００１０】
ＰＣ橋工事における橋梁は近年大型化しており、例えば図１８に示す斜張橋１４のように、橋梁１５の橋幅が大きくて、複数の室１７を有する大型の橋梁ブロック１６が施工されることが多くなっている。また、この橋梁ブロック１６には、コンクリート床版と波形鋼板ウエブが結合一体化された箱桁が用いられ、波形鋼板ウエブＰＣ橋として構築される。     
【００１１】
大型の波形鋼板ウエブＰＣ橋を構築する場合、その大型化した橋梁ブロックを製作する工程の合理化を図るうえから、予めヤードで製作するプレキャストセグメント方式が考えられるが、橋軸方向に所定の長さに分断された橋梁ブロックであるとはいえ、複数室を有した前記大型の橋梁ブロックでは、単体でも運搬及び架設機械での吊り上げ可能な限界を越えてしまい、橋梁ブロック単体を一体にヤードで製作することは非現実的ある。
【００１２】
そこで、前記の大型化した橋梁ブロックを複数の各室毎に橋軸直角方向に複数に分割し、例えば、左右側と中間部に３分割し、各々の両側の波形鋼板ウエブと上下コンクリート床版が１ユニットとなった箱型断面の分割部材を製作し、この分割部材を桁先端まで搬送することが考えられる。しかし、それでもなお分割部材のコンクリート重量が嵩むため、運搬及び架設機械での吊り上げ可能な限界を越えこの施工法も実現は困難である。さらに、この施工法では、複数分割された橋梁ブロックを橋軸直角方向（橋幅方向）に接合すること自体、接合レベルの調整、橋軸方向の配筋とその接合部のコンクリート打設による強固な一体化などの点で面倒かつ困難な作業があり、この点からも、前記の床版一体形分割ブロック方式は実用的に難がある。
【００１３】
前記のことから、従来は、特開２０００−１１０１１４号公報に開示されるように、架設の現場で波形鋼板ウエブを先に桁先端に取り付けて位置決めした後に、型枠・鉄筋を組立ててからコンクリートを現場打ちして橋梁ブロックを構築しているが、この工法では施工に非常に時間がかかり不経済であった。他方、ＰＣ箱桁橋で、現場施工手間を少しでも省く一環として、プレキャストセグメントの製作に鉄筋のプレハブ化が多く採用されてきたが、これは複数の鉄筋を所定の形状に予め組立てて鉄筋籠として製作するというもので、波形鋼板ウエブと鉄筋を予め組み合わせる技術思想としてのプレハブ化の提案は従来なされていない。
【００１４】
本発明は、前記従来の欠点に鑑みて提案されたもので、特に、大型の波形鋼板ウエブＰＣ橋において、橋梁ブロックが複数室を有するような橋梁ブロックの製作の合理化を図ったものである。すなわち、本発明は、ＰＣ橋梁における主桁の波形鋼板ウエブと鉄筋とをプレハブ化鉄筋とし、さらに、このプレハブ化鉄筋を橋幅方向に複数に分割して構成することで、運搬移動を可能とし、かつ床版用鉄筋の配筋工程とコンクリートの打設工程を時間的、場所的に分離し、それにより施工の省力化および迅速化を図ることのできる、波形鋼板ウエブを用いた張出し架設橋梁の施工方法を提供するものである。
【課題を解決するための手段】
【００１５】
前記の目的を達成するため、本発明は次のように構成する。
【００１６】
第１の発明に係る張出し架設橋梁の施工方法は、橋幅方向に複数配設された波形鋼板ウエブとコンクリートの上下床版から構成され、橋幅方向に隣合う２つの波形鋼板ウエブと上下床版とで構成され、かつ橋軸方向に分割されてなる橋梁ブロックを場所打ち施工する工法において、前記各室を構成する波形鋼板ウエブと上下床版鉄筋を組立て一体化してなり、かつ橋幅方向に複数に分割された分割プレハブ化鉄筋をヤードにて構築し、各分割プレハブ化鉄筋を順次桁先端に吊り上げ設置し、分割プレハブ化鉄筋の鉄筋同士を連結してプレハブ化鉄筋を構成し、前記上下床版鉄筋に床版コンクリートを打設することで、各波形鋼板ウエブと一体化した上下床版を構築して橋梁ブロックを構成し、該橋梁ブロックを橋軸方向に順次延長架設することを特徴とする。
【００１７】
第２の発明は、第１の発明において、左右の波形鋼板ウエブの上部に上床版型枠を取り付け、その型枠上にて上床版鉄筋を組立てて分割プレハブ化鉄筋を構築したこと特徴とする。
【００１８】
第３の発明は、第１または第２の発明において、間隔保持材にて分割プレハブ化鉄筋における各波形鋼板ウエブの間隔を保持すると共に、波形鋼板ウエブの上下部に支持位置決め用のジャッキを取り付け、下部ジャッキを支持部材に取付けることで波形鋼板ウエブの位置を調整すると共に、上部ジャッキで上床版型枠の位置を調整することを特徴とする。  
【００１９】
第４の発明は、第１〜第３の発明において、波形鋼板ウエブに作業用の足場を取付けたことを特徴とする。  
【００２０】
第５の発明は、第１〜第４の発明において、前記分割プレハブ化鉄筋に床版コンクリートを打設した後の鉄筋ラップ部分は橋軸方向のみとし、橋軸直角方向の鉄筋同士はコンクリート打設前に連結されていて、打設コンクリートに埋設されて一体化されていることを特徴とする。
【発明の効果】
【００２１】
本発明によると、現場サイトで波形鋼板ウエブと鉄筋を組立てることで分割プレハブ化鉄筋を構成する。この分割プレハブ化鉄筋は運搬移動が可能であるので架設機械（ワーゲン）を用いて橋梁の架設現場である桁先端に設置する。設置場所では、橋軸直角方向（橋幅方向）に分割プレハブ化鉄筋を並べて相互間の鉄筋同士を連結し、つづいて、コンクリートを打設するのみで上下床版が完成する。こうして波形鋼板ウエブとコンクリート床版が一体化した大型の橋梁ブロックが完成するので、張出し架設工法において、桁先端での作業を大幅に短縮でき、施工効率が著しく向上し、コストダウンにつながる。また、コンクリート床版の打設と平行して現場サイトでは、次の波形鋼板ウエブと鉄筋を組立てるプレハブ化鉄筋の構築作業の複数工程を平行して進めることができ、このようにプレハブ化鉄筋の製作工程と架設工程を別々に設定できることで、工期が大幅に短縮できる。さらに、プレハブ化鉄筋の製作は、工場または製作ヤードでの繰り返し作業で、品質の安定した製作と機械化施工を取り入れることが可能となるのでこれに伴う合理化、省力化が可能である。
【発明を実施するための最良の形態】
【００２２】
以下、本発明に実施形態を図を参照して説明する。
【００２３】
図１〜図５によって、本発明の概要を説明する。図１は、波形鋼板ウエブ１８に上下床版１９、２０が一体化されてなる複数の室１７（第１室〜第５室）を有する広幅の橋梁ブロック１６の端面図、図２は、図１において、上下床版コンクリートが打設される前の状態、つまり、波形鋼板ウエブ１８と上下床版用鉄筋２２からなるプレハブ化鉄筋２３を実線で示し、床版コンクリート２４を点線で示す橋梁ブロック１６の端面図である。
【００２４】
本発明では、前記の波形鋼板ウエブ１８と床版用鉄筋２２を一体化してなるプレハブ化鉄筋２３を上下床版用のコンクリート２４の打設工程とは、時間的、場所的に分離して構成する。さらに、ウエブに波形鋼板ウエブを使用しているとはいえ、大型の橋梁ブロック１６（図１）では、５室を構成する複数の波形鋼板ウエブ１８と鉄筋２２が橋幅方向に一体化されたプレハブ化鉄筋２３を最初からヤードで一体に成形したのでは、なお運搬できないまでに重量が増大するので、本発明では、プレハブ化鉄筋２３は、分割プレハブ化鉄筋２３ａ、２３ｂ、２３ｃに橋幅方向に３分割してヤードで製作する。
【００２５】
図２において、第１室１７、第３室１７、第５室１７では、各室の両側に波形鋼板ウエブ１８が存在するので、これを基準に左右と中間部の各分割プレハブ化鉄筋２３ａ、２３ｂ、２３ｃを構成できる。
【００２６】
したがって、ヤードにて波形鋼板ウエブ１８と床版用鉄筋２２を接合して図３、図４、図５に示すように、左右と中間部の各分割プレハブ化鉄筋２３ａ、２３ｂ、２３ｃを別々に構成した後、移動式作業車や移動式架設桁を用いて分割プレハブ化鉄筋２３ａ、２３ｂ、２３ｃを個別に吊り上げて架設し、相互の鉄筋同士を連結し一体化して、図２に示すプレハブ化鉄筋２３を構成し、その後、床版コンクリート２４を現場打ちして大型の橋梁ブロック１６を完成するものである。
【００２７】
前記の工程で構築された橋梁ブロック１６は、橋幅方向の鉄筋同士は前記のように後施工で連結するが、橋軸方向ではコンクリート打設で完成した橋梁ブロック１６の橋軸方向の端面から床版鉄筋ラップ部分が突出しており、前記橋梁ブロック１６を既設ブロックとして張出し架設施工により新設の橋梁ブロックを構築するに際して、床版鉄筋ラップ部分をラップさせながら床版コンクリートを打設することで橋軸方向に橋梁ブロックを連続して構築するものである。
【００２８】
図３の分割プレハブ化鉄筋２３ａと、これの製作工程を示す図６〜図８を説明する。図３の分割プレハブ化鉄筋２３ａは橋軸方向に所定の長さをもって構成される。右端部の分割プレハブ化鉄筋２３ｂと中間部の分割プレハブ化鉄筋２３ｃも全く同様の工程で製作される。図６〜図８において、実線は各工程で実際に施工された部材示し、点線は後工程で施工される各部材の仮想配置態様を示す。
【００２９】
図６（ａ）の製作台調整工程（１）では、下床版鉄筋を配筋するための製作台２５を配置し、該製作台２５を地面２６に設置したジャッキ２７で高さ調整自在に支持すると共に、後工程において、この製作台２５上で下床版鉄筋を組み立て、波形鋼板ウエブ１８の下部と一体化する。
【００３０】
図６（ｂ）の波形鋼板ウエブの組立て工程（２）では、片側の傾斜配置される波形鋼板ウエブ１８と他側の鉛直配置される波形鋼板ウエブ１８の下端を、地面２６に設置したウエブ調整支持用ジャッキ２８で高さ調整自在に支持する。図示左側の傾斜した波形鋼板ウエブ１８は、外側に傾倒しないように支持枠台２９で支持される。
【００３１】
図７（ａ）の斜材組立て工程（３）では、左右の傾斜配置される波形鋼板ウエブ１８と鉛直配置される波形鋼板ウエブ１８の間隔が保持されるように両部間に斜材３０と横桟３１を組んでなる間隔保持枠３２を配置し、両側のウエブ１８に着脱自在に結合する。なお、分割プレハブ化鉄筋２３ａの橋軸方向の所定位置には、両波形鋼板ウエブ１８間に横桁鉄筋が配置される。この横桁鉄筋も波形鋼板ウエブ１８の間隔保持に寄与するが図を省略する。
【００３２】
図７（ｂ）の上床版型枠組立て工程（４）では、両側の波形鋼板ウエブ１８を反力受け部としてその内側部に作業足場３３を組むと共に、複数の高さ調整可能なブラケット３４や高さ調整ジャッキ３５を設け、これらの部材で上床版型枠３６を所定の位置に配置する。
【００３３】
図８の上下床版型枠組立て工程（５）では、製作台２５の上で下床版鉄筋２２を組立てると共に、上床版型枠３６の上で上床版鉄筋２２を組立てる。これで図３の状態で左端の分割プレハブ化鉄筋２３ａが構成される。下床版鉄筋２２と上床版鉄筋２２の組立ては、何れを先行してもよいし同時に組立ててもよい。
【００３４】
前記の同じ工程で、図４と図５に示す右端と中間部の分割プレハブ化鉄筋２３ｂと２３ｃが構成される。これらの分割プレハブ化鉄筋２３ａ、２３ｂ、２３ｃを構築した後、個別に移動式作業車や移動式架設桁を用いて吊り上げ、桁先端の架設場所に設置した後、橋幅方向に平行に配置された分割プレハブ化鉄筋２３ａ、２３ｂ、２３ｃの間の上下床版鉄筋２２同士を後施工で連結して、図２の大型のプレハブ化鉄筋２３を構成する。
【００３５】
架設現場では、プレハブ化鉄筋２３の下側には予め下床版型枠（図示せず）が配置してあり、この型枠を用いてコンクリートを現場打ちして下床版２０（図１）を構築し、つづいて、上床版型枠３６を用いてコンクリートを現場打ちして上床版１９（図１）を構築することで、橋軸方向に所定長さを有する橋梁ブロック１６が桁先端に完成する。橋梁ブロック１６における上下床版１９、２０の橋軸方向の端面からは、床版鉄筋ラップ部分が突出しており、この鉄筋ラップ部分をラップさせながら床版コンクリートを打設することで橋軸方向に橋梁ブロック１６を連続して構築し張出し架設工法で橋梁が完成する。
【００３６】
［具体的実施例］
以下、図９〜図１５を参照して、プレハブ化鉄筋２３ａを構成する例を説明する。なお、図１〜図８と共通要素には共通の符号を付して説明する。
【００３７】
図９〜図１１において、輪郭線２４ａはコンクリート２４が打設されたときの下床版２０の外形を示す輪郭線であり、その輪郭線２４ａの内部にコンクリートの‘かぶり’の分だけゆとりを持たせて下床版鉄筋２２が配筋されている。傾斜配置される左側の波形鋼板ウエブ１８および、鉛直配置される右側の波形鋼板ウエブ１８の下部に溶接された鉄筋組み立て用Ｌ鋼金具３７の板面に複数の鉄筋挿通孔が開設されていて、橋軸直角方向に延びる鉄筋２２の端部がこの鉄筋挿通孔に挿通孔され、コンクリートの打設によりＬ鋼金具３７を介して下床版鉄筋２２と波形鋼板ウエブ１８とが一体化される。橋軸直角方向に延びる鉄筋２２の上下が連結筋で連結され、またその鉄筋と交差して橋軸方向の鉄筋が配筋されている。
【００３８】
図９〜図１１において、Ｌ鋼金具３７と別に各波形鋼板ウエブ１８の下端には、連結金具３８を介してジャッキ昇降部２８ａが連結ピン３９で連結されている。ジャッキ昇降部２８ａは、図６〜図８に示すように地面２６に設置された、高さ調整用のジャッキ２８の上端に設けられている。このジャッキ昇降部２８ａによりＬ波形鋼板ウエブ３７を高さ調整した上で下床版鉄筋２２を配筋する。
【００３９】
左右の各波形鋼板ウエブ１８の上端部も前記と略同様に構成される。すなわち、図９と図１２、図１３に示すように、波形鋼板ウエブ１８の上端部において、側方から上床版型枠３６の端部が延びていて、かつ左右の上床版型枠３６によって、波形鋼板ウエブ１８の上部に凹部４０が形成され、この凹部４０にコンクリートを打設したとき橋梁ブロック１６におけるハンチ部４１（図１に示す）が形成されるように設けてある。図９、図１２、図１３に示すように波形鋼板ウエブ１８の上端にも長手方向の適当な間隔で複数の鉄筋組み立て用Ｌ鋼金具３７が溶接され、該Ｌ鋼金具３７の鉄筋挿入孔に橋軸方向に伸びる鉄筋２２が挿入支持されている。また、波形鋼板ウエブ１８の上端の長手方向の端部には吊り金具４２が溶接されていて、その引掛け孔４３に作業車から垂下するワイヤに取り付けたフックを係止し、これにより分割プレハブ化鉄筋２３ａを吊り上げらて架設場所に設置できる。
【００４０】
こうして上床版型枠３６を所定の配置に支持するもので、同図において、輪郭線２４ａはコンクリートが打設されたときの上床版の外形を示す輪郭線であり、その輪郭線２４ａの内部にコンクリートの‘かぶり’の分だけゆとりを持たせて、かつ、この上床版型枠３６の上で上床版鉄筋２２を組み立てる。上床版鉄筋２２は、橋軸直角方向の上下鉄筋とその間を連結する連結筋と橋軸方向の上下鉄筋からなっている。
【００４１】
さらに、外側に傾斜配置される波形鋼板ウエブ１８の内側部および、中間部側に鉛直配置される波形鋼板ウエブ１８の両側部には、添え腕４４が設けられていて、添え腕４４に端部を支持させた高さ調整可能なブラケット３４によって上床版型枠３６が支持されている。ブラケット３４は角度調整棒４５によって傾斜角を調整でき、これにより上床版型枠３６を高さ調整自在に支持できる。さらに、添え腕４４に端部を支持させた作業用足場３３が組まれていて、その水平部に足場板４６が配置され、作業者はこの作業用足場３３に乗って作業できる。また、外側に傾斜配置される波形鋼板ウエブ１８は、支持枠台２９に設けた傾斜調整ジャッキ４７により傾斜調整自在に支持されている。
【００４２】
ヤードにおいて、図４、図５に示すように、橋梁ブロック１６の第３室を構成する分割プレハブ化鉄筋２３ｃ、第５室を構成する分割プレハブ化鉄筋２３ｂも前記と同様にして構成した後、移動式作業車や移動式架設桁により吊り金具４２の引掛け孔４３にフックを引掛けて吊り上げ、施工現場に運搬して桁先端に配置した後、各分割プレハブ化鉄筋の橋軸直角方向（橋幅方向）に伸びる鉄筋同士を現場作業で連結して１単位のプレハブ化鉄筋２３を完成する。なお、図２に示す第２室１７と第４室１７の上下床版の配筋は、第１室および第５室と第３室を構成する分割プレハブ化鉄筋２３ａ、２３ｂ、２３ｃから伸びる橋軸直角方向の鉄筋の間を継ぎ鉄筋で連結することで構成する。その後、下床版鉄筋２２と上床版鉄筋２２が埋るように下床版コンクリート２４と上床版コンクリート２４を打設する。こうして波形鋼板ウエブ１８と上下床版コンクリート２４が相互に一体化した大型の橋梁ブロック１６が完成する。
【００４３】
上下床版コンクリート２４と波形鋼板ウエブ１８が一体化した橋梁ブロック１６が完成したとき、上下床版の橋軸方向の端部から鉄筋を突出させておき、前記橋梁ブロック１６を既設側として新設側の橋梁ブロック１６が完成したとき、既設側と新設側の橋軸方向鉄筋を連結するもので、その後、目地部コンクリートを打設し、既設側と新設側の橋梁ブロック１６同士を結合一体化できる。さらに、橋体ブロック１６同士は、外ケーブルにてプレストレスを導入して強固に一体化される。
【００４４】
本実施形態に係る架設工法を適用するメリットは、（１）波形鋼板ウエブと上下床版鉄筋を一体化した分割プレハブ化鉄筋を、桁先端での鉄筋連結作業や床版コンクリート打設工程と平行してヤードで製作し、架設工程と平行してヤードに分割プレハブ化鉄筋をストックできるので、製作工程と架設工程を別々に設定でき、工期が大幅に短縮できる。（２）分割プレハブ化鉄筋の製作は、工場または製作ヤードでの繰り返し作業で、品質の安定した構造物の製作と機械化施工に伴う合理化、省力化が可能になる等がある。
【図面の簡単な説明】
【００４５】
【図１】波形鋼板ウエブＰＣ橋における５室を有する大型橋梁ブロックの完成時の端面図である。
【図２】図１の橋梁ブロックにおける床版コンクリート打設前のプレハブ化鉄筋の端面図である。
【図３】（ａ）は、図２のプレハブ化鉄筋にける第１室を構成する分割プレハブ化鉄筋の端面図、（ｂ）は、 同図（ａ）のＡ−Ａ矢視図である。
【図４】（ａ）は、図２のプレハブ化鉄筋にける第３室を構成する分割プレハブ化鉄筋の端面図、（ｂ）は、同図（ａ）のＢ−Ｂ矢視図である。
【図５】（ａ）は、図２のプレハブ化鉄筋にける第５室を構成する分割プレハブ化鉄筋の端面図、（ｂ）は、同図（ａ）のＣ−Ｃ矢視図である。
【図６】（ａ）、（ｂ）は、図３に示す第１室を構成する分割プレハブ化鉄筋の第１、第２製作工程説明図である。
【図７】（ａ）、（ｂ）は、図３に示す第１室を構成する分割プレハブ化鉄筋の第３、第４製作工程説明図である。
【図８】図３に示す第１室を構成する分割プレハブ化鉄筋の第５製作工程説明図である。
【図９】図３に示す第１室を構成する分割プレハブ化鉄筋の具体的構成図である。
【図１０】図９のＤ部の詳細図である。
【図１１】図９のＥ部の詳細図である。
【図１２】図９のＦ部の拡大図である。
【図１３】図９のＧ部の拡大図である。
【図１４】外側波形鋼板ウエブの傾斜を調整するジャッキを取り付ける支持枠の拡大図である。
【図１５】図１４のＨ部の拡大図である。
【図１６】従来のプレキャストセグメント張出し架設橋の側面図である。
【図１７】従来の波形鋼板ウエブ箱桁の断面図である。
【図１８】（ａ）は波形鋼板ウエブＰＣ橋（斜張橋）全体概要図、（ｂ）はその拡大側面図である。
【符号の説明】
【００４６】
１  橋脚    
２  柱頭部セグメント
３  中間支持台
４  架設桁
５  トレーラ
６  橋梁ブロック
７  架設機
８  波形鋼板ウエブ
１０  上床版
１１  下床版
１２  波形鋼板箱桁  
１３  鉄筋
１４  斜張橋
１５  橋梁
１６  橋梁ブロック
１７  複数の室
１８  波形鋼板ウエブ
１９  上床版
２０  下床版
２２  鉄筋
２３  プレハブ化鉄筋
２３ａ  分割プレハブ化鉄筋
２３ｂ  分割プレハブ化鉄筋
２３ｃ  分割プレハブ化鉄筋
２４    床版コンクリート
２５  製作台
２６  地面
２７  ジャッキ
２８  ウエブ調整支持用ジャッキ
２９  支持枠台
３０  斜材
３１  横桟
３２  間隔保持枠
３３  作業用足場
３４  高さ調整可能なブラケット
３５  高さ調整用ジャッキ
３６  上床版型枠
３７  鉄筋組立て用Ｌ鋼金具
３８  連結金具
３９  連結ピン
４０  凹部
４１  ハンチ部
４２  吊り金具
４３  引っ掛け孔
４４  添え腕
４５  角度調整棒
４６  足場板
４７  傾斜調整ジャッキ  
【図１】
2006063718.tif 000003
【図２】
2006063718.tif 000004
【図３】
2006063718.tif 000005
【図４】
2006063718.tif 000006
【図５】
2006063718.tif 000007
【図６】
2006063718.tif 000008
【図７】
2006063718.tif 000009
【図８】
2006063718.tif 000010
【図９】
2006063718.tif 000011
【図１０】
2006063718.tif 000012
【図１１】
2006063718.tif 000013
【図１２】
2006063718.tif 000014
【図１３】
2006063718.tif 000015
【図１４】
2006063718.tif 000016
【図１５】
2006063718.tif 000017
【図１６】
2006063718.tif 000018
【図１７】
2006063718.tif 000019
【図１８】
2006063718.tif 000020
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
橋幅方向に複数配設された波形鋼板ウエブとコンクリートの上下床版から構成され、橋幅方向に隣合う２つの波形鋼板ウエブと上下床版とで構成され、かつ橋軸方向に分割されてなる橋梁ブロックを場所打ち施工する工法において、室を構成する波形鋼板ウエブと上下床版鉄筋を組立て一体化しているプレハブ化鉄筋を桁先端に設け、前記上下床版鉄筋に床版コンクリートを打設することで、各波形鋼板ウエブと一体化した上下床版を構築して橋梁ブロックを構成し、該橋梁ブロックを橋軸方向に順次延長架設することを特徴とする波形鋼板ウエブを用いた張出し架設橋梁の施工方法。
【請求項２】
橋幅方向に複数配設された波形鋼板ウエブとコンクリートの上下床版から構成され、橋幅方向に隣合う２つの波形鋼板ウエブと上下床版とで構成され、かつ橋軸方向に分割されてなる橋梁ブロックを場所打ち施工する工法において、前記各室を構成する波形鋼板ウエブと上下床版鉄筋を組立て一体化してなり、かつ橋幅方向に複数に分割された分割プレハブ化鉄筋をヤードにて構築し、各分割プレハブ化鉄筋を順次桁先端に吊り上げ設置し、分割プレハブ化鉄筋の鉄筋同士を連結してプレハブ化鉄筋を構成し、前記上下床版鉄筋に床版コンクリートを打設することで、各波形鋼板ウエブと一体化した上下床版を構築して橋梁ブロックを構成し、該橋梁ブロックを橋軸方向に順次延長架設することを特徴とする波形鋼板ウエブを用いた張出し架設橋梁の施工方法。
【請求項３】
左右の波形鋼板ウエブの上部に上床版型枠を取り付け、その型枠上にて上床版鉄筋を組立てて分割プレハブ化鉄筋を構築したこと特徴とする請求項１または２記載の張出し架設橋梁の施工方法。
【請求項４】
間隔保持材にて分割プレハブ化鉄筋における各波形鋼板ウエブの間隔を保持すると共に、波形鋼板ウエブの上下部に支持位置決め用のジャッキを取り付け、下部ジャッキを支持部材に取付けることで波形鋼板ウエブの位置を調整すると共に、上部ジャッキで上床版型枠の位置を調整することを特徴とする請求項１〜３記載の張出し架設橋梁の施工方法。
【請求項５】
波形鋼板ウエブに作業用の足場を取付けたことを特徴とする請求項１〜４の何れか１項記載の張出し架設橋梁の施工方法。
【請求項６】
前記分割プレハブ化鉄筋に床版コンクリートを打設した後の鉄筋ラップ部分は橋軸方向のみとし、橋軸直角方向の鉄筋同士はコンクリート打設前に連結されていて、打設コンクリートに埋設されて一体化されていることを特徴とする請求項２〜５記載の張出し架設橋梁の施工方法。
【手続補正２】
【補正対象書類名】明細書
【補正対象項目名】全文
【補正方法】変更
【補正の内容】
【発明の詳細な説明】
【技術分野】
【０００１】
本発明は、波形鋼板ウエブを用いた橋梁ブロック張出し架設橋梁の施工方法に係り、特に、複数の波形鋼板ウエブと上下床版を一体化してなる複数室を有した広幅で大型の橋梁ブロックにおいて、波形鋼板ウエブと鉄筋をあらかじめ一体化したプレハブ化鉄筋として構成すると共に、さらにこれを複数分割した分割プレハブ化鉄筋として構成する工程を含む点に特徴を有する張出し架設桁工法に関する。
【背景技術】
【０００２】
従来、ＰＣ橋工事における橋梁の構築に際しては、片持ち張出し架設作業装置を使用し、橋脚から橋体を橋軸方向に３〜５ｍに分割して左右に交互に張り出して構築するプレストレスコンクリート構造の橋梁の張出し架設工法が広範に採用されている。この張出し架設工法は、長大スパンの橋梁を容易に施工することができ、桁下空間条件に規制されず架橋を行なうことができる特徴がある。
【０００３】
前記張出し架設工法の特徴を生かしながら、さらに 急速施工、省力化施工が期待できる工法の代表例として、プレキャストセグメント工法が多く実施されている。プレキャストセグメント工法は、橋桁を橋軸方向に分割したセグメント（橋梁ブロック）を製作ヤードで予め製作しておき、架設現場まで運搬し、移動式作業車や移動式架設桁で吊り上げて所定の位置に移動させながら、既設のコンクリートセグメントにＰＣ鋼棒により接合する張出し架設桁工法である。
【０００４】
図１６は、従来例の概要を示し、橋脚１の上部に柱頭部セグメント２、中間支持台３を介して架設桁４が設置され、同図の左端よりトレーラー５で搬入した橋梁ブロック（セグメント）６を架設機７で吊り上げ、矢印方向に移送し所定角度旋回させると共に、既設のセグメントと接合対向面を互いに臨ませ、接合面に接着剤を塗布し、ＰＣケーブルを挿入し、緊張力を導入して接続するもので、前記の作業を繰り返して架設作業を進める。このプレキャストセグメント工法は、橋長が１０００ｍ以上の架設橋の場合に適している。
【０００５】
他方、橋長が比較的に短い場合には、架設コストの安い場所打ちコンクリートブロック工法が採用されている。この場所打ちコンクリートブロック工法は、橋桁を橋軸方向に分割し、移動式作業車や移動式架設桁の型枠装置内に鉄筋を組んだ後、コンクリートを打設コンクリートブロックが所定の強度に達した後にプレストレスを導入し、移動式作業車等を前進させて次の張出しブロックを施工する張出し架設工法であり、この種の従来技術として、特開平９−１０２５７８号（従来例１）、特開平１１−２９３６２９号（従来例２）等に開示の技術がある。
【０００６】
従来例１に開示されるＰＣ橋梁の主桁鉄筋施工法およびその装置は、プレキャストセグメントの製作にあたって、鉄筋を別途組立て、台車で桁先端に移動するというものである。
【０００７】
従来例２に開示の技術は、場所打ちコンクリートブロック工法で鉄筋籠を組立て型枠内に入れ、コンクリートを打設するというものである。
【０００８】
また、最近軽量化が可能な箱桁として波形鋼板ウエブと上下のコンクリート床版で構成された波形鋼板箱桁が多く採用されるようになった。これは、図１７に示すように、コンクリート箱桁に代えて、ウエブを波形鋼板ウエブ８とし、これと上下コンクリート床版１０、１１を複合して軽量化を図った箱型断面桁１２であり、上下床版１０、１１には、鉄筋１３が配筋されている。この波形鋼板箱桁１２は、ヤードで波形鋼板ウエブ８と上下のコンクリート床版１０、１１を一体化して製作するプレキャストセグメント形式のものと、現場で床版コンクリートを打設する場所打ちコンクリートブロック形式の両方がある。    
【０００９】
この種の橋梁ブロックの施工方法に関する従来技術として、特開２０００−１１０１１４号（従来例３）に開示の技術がある。従来例３に示される工法は、架設場所で波形鋼板ウエブを所定の配置に仮固定して、下部床版用鉄筋を組んでコンクリートを打設して下床版を構築し、つづいて、上部床版用鉄筋を組んでコンクリートを打設して上床版を構築するという工程を経て橋梁ブロックを構築するものである。
【特許文献１】特開平９−１０２５７８号公報
【特許文献２】特開平１１−２９３６２９号公報
【特許文献３】特開２０００−１１０１１４号公報
【発明の開示】
【発明が解決しようとする課題】
【００１０】
ＰＣ橋工事における橋梁は近年大型化しており、例えば図１８に示す斜張橋１４のように、橋梁１５の橋幅が大きくて、複数の室１７を有する大型の橋梁ブロック１６が施工されることが多くなっている。また、この橋梁ブロック１６には、コンクリート床版と波形鋼板ウエブが結合一体化された箱桁が用いられ、波形鋼板ウエブＰＣ橋として構築される。     
【００１１】
大型の波形鋼板ウエブＰＣ橋を構築する場合、その大型化した橋梁ブロックを製作する工程の合理化を図るうえから、予めヤードで製作するプレキャストセグメント方式が考えられるが、橋軸方向に所定の長さに分断された橋梁ブロックであるとはいえ、複数室を有した前記大型の橋梁ブロックでは、単体でも運搬及び架設機械での吊り上げ可能な限界を越えてしまい、橋梁ブロック単体を一体にヤードで製作することは非現実的ある。
【００１２】
そこで、前記の大型化した橋梁ブロックを複数の各室毎に橋軸直角方向に複数に分割し、例えば、左右側と中間部に３分割し、各々の両側の波形鋼板ウエブと上下コンクリート床版が１ユニットとなった箱型断面の分割部材を製作し、この分割部材を桁先端まで搬送することが考えられる。しかし、それでもなお分割部材のコンクリート重量が嵩むため、運搬及び架設機械での吊り上げ可能な限界を越えこの施工法も実現は困難である。さらに、この施工法では、複数分割された橋梁ブロックを橋軸直角方向（橋幅方向）に接合すること自体、接合レベルの調整、橋軸方向の配筋とその接合部のコンクリート打設による強固な一体化などの点で面倒かつ困難な作業があり、この点からも、前記の床版一体形分割ブロック方式は実用的に難がある。
【００１３】
前記のことから、従来は、特開２０００−１１０１１４号公報に開示されるように、架設の現場で波形鋼板ウエブを先に桁先端に取り付けて位置決めした後に、型枠・鉄筋を組立ててからコンクリートを現場打ちして橋梁ブロックを構築しているが、この工法では施工に非常に時間がかかり不経済であった。他方、ＰＣ箱桁橋で、現場施工手間を少しでも省く一環として、プレキャストセグメントの製作に鉄筋のプレハブ化が多く採用されてきたが、これは複数の鉄筋を所定の形状に予め組立てて鉄筋籠として製作するというもので、波形鋼板ウエブと鉄筋を予め組み合わせる技術思想としてのプレハブ化の提案は従来なされていない。
【００１４】
本発明は、前記従来の欠点に鑑みて提案されたもので、特に、大型の波形鋼板ウエブＰＣ橋において、橋梁ブロックが複数室を有するような橋梁ブロックの製作の合理化を図ったものである。すなわち、本発明は、ＰＣ橋梁における主桁の波形鋼板ウエブと鉄筋とをプレハブ化鉄筋とし、さらに、このプレハブ化鉄筋を橋幅方向に複数に分割して構成することで、運搬移動を可能とし、かつ床版用鉄筋の配筋工程とコンクリートの打設工程を時間的、場所的に分離し、それにより施工の省力化および迅速化を図ることのできる、波形鋼板ウエブを用いた張出し架設橋梁の施工方法を提供するものである。
【課題を解決するための手段】
【００１５】
前記の目的を達成するため、本発明は次のように構成する。
第１の発明に係る張出し架設橋梁の施工方法は、橋幅方向に複数配設された波形鋼板ウエブとコンクリートの上下床版から構成され、橋幅方向に隣合う２つの波形鋼板ウエブと上下床版とで構成され、かつ橋軸方向に分割されてなる橋梁ブロックを場所打ち施工する工法において、室を構成する波形鋼板ウエブと上下床版鉄筋を組立て一体化しているプレハブ化鉄筋を桁先端に設け、前記上下床版鉄筋に床版コンクリートを打設することで、各波形鋼板ウエブと一体化した上下床版を構築して橋梁ブロックを構成し、該橋梁ブロックを橋軸方向に順次延長架設することを特徴とする。
【００１６】
第２の発明に係る張出し架設橋梁の施工方法は、橋幅方向に複数配設された波形鋼板ウエブとコンクリートの上下床版から構成され、橋幅方向に隣合う２つの波形鋼板ウエブと上下床版とで構成され、かつ橋軸方向に分割されてなる橋梁ブロックを場所打ち施工する工法において、前記各室を構成する波形鋼板ウエブと上下床版鉄筋を組立て一体化してなり、かつ橋幅方向に複数に分割された分割プレハブ化鉄筋をヤードにて構築し、各分割プレハブ化鉄筋を順次桁先端に吊り上げ設置し、分割プレハブ化鉄筋の鉄筋同士を連結してプレハブ化鉄筋を構成し、前記上下床版鉄筋に床版コンクリートを打設することで、各波形鋼板ウエブと一体化した上下床版を構築して橋梁ブロックを構成し、該橋梁ブロックを橋軸方向に順次延長架設することを特徴とする。
【００１７】
第３の発明は、第１または第２の発明において、左右の波形鋼板ウエブの上部に上床版型枠を取り付け、その型枠上にて上床版鉄筋を組立てて分割プレハブ化鉄筋を構築したこと特徴とする。
【００１８】
第４の発明は、第１〜第３の発明において、間隔保持材にて分割プレハブ化鉄筋における各波形鋼板ウエブの間隔を保持すると共に、波形鋼板ウエブの上下部に支持位置決め用のジャッキを取り付け、下部ジャッキを支持部材に取付けることで波形鋼板ウエブの位置を調整すると共に、上部ジャッキで上床版型枠の位置を調整することを特徴とする。  
【００１９】
第５の発明は、第１〜第４の発明において、波形鋼板ウエブに作業用の足場を取付けたことを特徴とする。  
【００２０】
第６の発明は、第２〜第４の発明において、前記分割プレハブ化鉄筋に床版コンクリートを打設した後の鉄筋ラップ部分は橋軸方向のみとし、橋軸直角方向の鉄筋同士はコンクリート打設前に連結されていて、打設コンクリートに埋設されて一体化されていることを特徴とする。
【発明の効果】
【００２１】
本発明によると、現場サイトで波形鋼板ウエブと鉄筋を組立てることで分割プレハブ化鉄筋を構成する。この分割プレハブ化鉄筋は運搬移動が可能であるので架設機械（ワーゲン）を用いて橋梁の架設現場である桁先端に設置する。設置場所では、橋軸直角方向（橋幅方向）に分割プレハブ化鉄筋を並べて相互間の鉄筋同士を連結し、つづいて、コンクリートを打設するのみで上下床版が完成する。こうして波形鋼板ウエブとコンクリート床版が一体化した大型の橋梁ブロックが完成するので、張出し架設工法において、桁先端での作業を大幅に短縮でき、施工効率が著しく向上し、コストダウンにつながる。また、コンクリート床版の打設と平行して現場サイトでは、次の波形鋼板ウエブと鉄筋を組立てるプレハブ化鉄筋の構築作業の複数工程を平行して進めることができ、このようにプレハブ化鉄筋の製作工程と架設工程を別々に設定できることで、工期が大幅に短縮できる。さらに、プレハブ化鉄筋の製作は、工場または製作ヤードでの繰り返し作業で、品質の安定した製作と機械化施工を取り入れることが可能となるのでこれに伴う合理化、省力化が可能である。
【発明を実施するための最良の形態】
【００２２】
以下、本発明に実施形態を図を参照して説明する。
【００２３】
図１〜図５によって、本発明の概要を説明する。図１は、波形鋼板ウエブ１８に上下床版１９、２０が一体化されてなる複数の室１７（第１室〜第５室）を有する広幅の橋梁ブロック１６の端面図、図２は、図１において、上下床版コンクリートが打設される前の状態、つまり、波形鋼板ウエブ１８と上下床版用鉄筋２２からなるプレハブ化鉄筋２３を実線で示し、床版コンクリート２４を点線で示す橋梁ブロック１６の端面図である。
【００２４】
本発明では、前記の波形鋼板ウエブ１８と床版用鉄筋２２を一体化してなるプレハブ化鉄筋２３を上下床版用のコンクリート２４の打設工程とは、時間的、場所的に分離して構成する。さらに、ウエブに波形鋼板ウエブを使用しているとはいえ、大型の橋梁ブロック１６（図１）では、５室を構成する複数の波形鋼板ウエブ１８と鉄筋２２が橋幅方向に一体化されたプレハブ化鉄筋２３を最初からヤードで一体に成形したのでは、なお運搬できないまでに重量が増大するので、本発明では、プレハブ化鉄筋２３は、分割プレハブ化鉄筋２３ａ、２３ｂ、２３ｃに橋幅方向に３分割してヤードで製作する。
【００２５】
図２において、第１室１７、第３室１７、第５室１７では、各室の両側に波形鋼板ウエブ１８が存在するので、これを基準に左右と中間部の各分割プレハブ化鉄筋２３ａ、２３ｂ、２３ｃを構成できる。
【００２６】
したがって、ヤードにて波形鋼板ウエブ１８と床版用鉄筋２２を接合して図３、図４、図５に示すように、左右と中間部の各分割プレハブ化鉄筋２３ａ、２３ｂ、２３ｃを別々に構成した後、移動式作業車や移動式架設桁を用いて分割プレハブ化鉄筋２３ａ、２３ｂ、２３ｃを個別に吊り上げて架設し、相互の鉄筋同士を連結し一体化して、図２に示すプレハブ化鉄筋２３を構成し、その後、床版コンクリート２４を現場打ちして大型の橋梁ブロック１６を完成するものである。
【００２７】
前記の工程で構築された橋梁ブロック１６は、橋幅方向の鉄筋同士は前記のように後施工で連結するが、橋軸方向ではコンクリート打設で完成した橋梁ブロック１６の橋軸方向の端面から床版鉄筋ラップ部分が突出しており、前記橋梁ブロック１６を既設ブロックとして張出し架設施工により新設の橋梁ブロックを構築するに際して、床版鉄筋ラップ部分をラップさせながら床版コンクリートを打設することで橋軸方向に橋梁ブロックを連続して構築するものである。
【００２８】
図３の分割プレハブ化鉄筋２３ａと、これの製作工程を示す図６〜図８を説明する。図３の分割プレハブ化鉄筋２３ａは橋軸方向に所定の長さをもって構成される。右端部の分割プレハブ化鉄筋２３ｂと中間部の分割プレハブ化鉄筋２３ｃも全く同様の工程で製作される。図６〜図８において、実線は各工程で実際に施工された部材示し、点線は後工程で施工される各部材の仮想配置態様を示す。
【００２９】
図６（ａ）の製作台調整工程（１）では、下床版鉄筋を配筋するための製作台２５を配置し、該製作台２５を地面２６に設置したジャッキ２７で高さ調整自在に支持すると共に、後工程において、この製作台２５上で下床版鉄筋を組み立て、波形鋼板ウエブ１８の下部と一体化する。
【００３０】
図６（ｂ）の波形鋼板ウエブの組立て工程（２）では、片側の傾斜配置される波形鋼板ウエブ１８と他側の鉛直配置される波形鋼板ウエブ１８の下端を、地面２６に設置したウエブ調整支持用ジャッキ２８で高さ調整自在に支持する。図示左側の傾斜した波形鋼板ウエブ１８は、外側に傾倒しないように支持枠台２９で支持される。
【００３１】
図７（ａ）の斜材組立て工程（３）では、左右の傾斜配置される波形鋼板ウエブ１８と鉛直配置される波形鋼板ウエブ１８の間隔が保持されるように両部間に斜材３０と横桟３１を組んでなる間隔保持枠３２を配置し、両側のウエブ１８に着脱自在に結合する。なお、分割プレハブ化鉄筋２３ａの橋軸方向の所定位置には、両波形鋼板ウエブ１８間に横桁鉄筋が配置される。この横桁鉄筋も波形鋼板ウエブ１８の間隔保持に寄与するが図を省略する。
【００３２】
図７（ｂ）の上床版型枠組立て工程（４）では、両側の波形鋼板ウエブ１８を反力受け部としてその内側部に作業足場３３を組むと共に、複数の高さ調整可能なブラケット３４や高さ調整ジャッキ３５を設け、これらの部材で上床版型枠３６を所定の位置に配置する。
【００３３】
図８の上下床版型枠組立て工程（５）では、製作台２５の上で下床版鉄筋２２を組立てると共に、上床版型枠３６の上で上床版鉄筋２２を組立てる。これで図３の状態で左端の分割プレハブ化鉄筋２３ａが構成される。下床版鉄筋２２と上床版鉄筋２２の組立ては、何れを先行してもよいし同時に組立ててもよい。
【００３４】
前記の同じ工程で、図４と図５に示す右端と中間部の分割プレハブ化鉄筋２３ｂと２３ｃが構成される。これらの分割プレハブ化鉄筋２３ａ、２３ｂ、２３ｃを構築した後、個別に移動式作業車や移動式架設桁を用いて吊り上げ、桁先端の架設場所に設置した後、橋幅方向に平行に配置された分割プレハブ化鉄筋２３ａ、２３ｂ、２３ｃの間の上下床版鉄筋２２同士を後施工で連結して、図２の大型のプレハブ化鉄筋２３を構成する。
【００３５】
架設現場では、プレハブ化鉄筋２３の下側には予め下床版型枠（図示せず）が配置してあり、この型枠を用いてコンクリートを現場打ちして下床版２０（図１）を構築し、つづいて、上床版型枠３６を用いてコンクリートを現場打ちして上床版１９（図１）を構築することで、橋軸方向に所定長さを有する橋梁ブロック１６が桁先端に完成する。橋梁ブロック１６における上下床版１９、２０の橋軸方向の端面からは、床版鉄筋ラップ部分が突出しており、この鉄筋ラップ部分をラップさせながら床版コンクリートを打設することで橋軸方向に橋梁ブロック１６を連続して構築し張出し架設工法で橋梁が完成する。
【００３６】
［具体的実施例］
以下、図９〜図１５を参照して、プレハブ化鉄筋２３ａを構成する例を説明する。なお、図１〜図８と共通要素には共通の符号を付して説明する。
【００３７】
図９〜図１１において、輪郭線２４ａはコンクリート２４が打設されたときの下床版２０の外形を示す輪郭線であり、その輪郭線２４ａの内部にコンクリートの‘かぶり’の分だけゆとりを持たせて下床版鉄筋２２が配筋されている。傾斜配置される左側の波形鋼板ウエブ１８および、鉛直配置される右側の波形鋼板ウエブ１８の下部に溶接された鉄筋組み立て用Ｌ鋼金具３７の板面に複数の鉄筋挿通孔が開設されていて、橋軸直角方向に延びる鉄筋２２の端部がこの鉄筋挿通孔に挿通孔され、コンクリートの打設によりＬ鋼金具３７を介して下床版鉄筋２２と波形鋼板ウエブ１８とが一体化される。橋軸直角方向に延びる鉄筋２２の上下が連結筋で連結され、またその鉄筋と交差して橋軸方向の鉄筋が配筋されている。
【００３８】
図９〜図１１において、Ｌ鋼金具３７と別に各波形鋼板ウエブ１８の下端には、連結金具３８を介してジャッキ昇降部２８ａが連結ピン３９で連結されている。ジャッキ昇降部２８ａは、図６〜図８に示すように地面２６に設置された、高さ調整用のジャッキ２８の上端に設けられている。このジャッキ昇降部２８ａによりＬ波形鋼板ウエブ３７を高さ調整した上で下床版鉄筋２２を配筋する。
【００３９】
左右の各波形鋼板ウエブ１８の上端部も前記と略同様に構成される。すなわち、図９と図１２、図１３に示すように、波形鋼板ウエブ１８の上端部において、側方から上床版型枠３６の端部が延びていて、かつ左右の上床版型枠３６によって、波形鋼板ウエブ１８の上部に凹部４０が形成され、この凹部４０にコンクリートを打設したとき橋梁ブロック１６におけるハンチ部４１（図１に示す）が形成されるように設けてある。図９、図１２、図１３に示すように波形鋼板ウエブ１８の上端にも長手方向の適当な間隔で複数の鉄筋組み立て用Ｌ鋼金具３７が溶接され、該Ｌ鋼金具３７の鉄筋挿入孔に橋軸方向に伸びる鉄筋２２が挿入支持されている。また、波形鋼板ウエブ１８の上端の長手方向の端部には吊り金具４２が溶接されていて、その引掛け孔４３に作業車から垂下するワイヤに取り付けたフックを係止し、これにより分割プレハブ化鉄筋２３ａを吊り上げらて架設場所に設置できる。
【００４０】
こうして上床版型枠３６を所定の配置に支持するもので、同図において、輪郭線２４ａはコンクリートが打設されたときの上床版の外形を示す輪郭線であり、その輪郭線２４ａの内部にコンクリートの‘かぶり’の分だけゆとりを持たせて、かつ、この上床版型枠３６の上で上床版鉄筋２２を組み立てる。上床版鉄筋２２は、橋軸直角方向の上下鉄筋とその間を連結する連結筋と橋軸方向の上下鉄筋からなっている。
【００４１】
さらに、外側に傾斜配置される波形鋼板ウエブ１８の内側部および、中間部側に鉛直配置される波形鋼板ウエブ１８の両側部には、添え腕４４が設けられていて、添え腕４４に端部を支持させた高さ調整可能なブラケット３４によって上床版型枠３６が支持されている。ブラケット３４は角度調整棒４５によって傾斜角を調整でき、これにより上床版型枠３６を高さ調整自在に支持できる。さらに、添え腕４４に端部を支持させた作業用足場３３が組まれていて、その水平部に足場板４６が配置され、作業者はこの作業用足場３３に乗って作業できる。また、外側に傾斜配置される波形鋼板ウエブ１８は、支持枠台２９に設けた傾斜調整ジャッキ４７により傾斜調整自在に支持されている。
【００４２】
ヤードにおいて、図４、図５に示すように、橋梁ブロック１６の第３室を構成する分割プレハブ化鉄筋２３ｃ、第５室を構成する分割プレハブ化鉄筋２３ｂも前記と同様にして構成した後、移動式作業車や移動式架設桁により吊り金具４２の引掛け孔４３にフックを引掛けて吊り上げ、施工現場に運搬して桁先端に配置した後、各分割プレハブ化鉄筋の橋軸直角方向（橋幅方向）に伸びる鉄筋同士を現場作業で連結して１単位のプレハブ化鉄筋２３を完成する。なお、図２に示す第２室１７と第４室１７の上下床版の配筋は、第１室および第５室と第３室を構成する分割プレハブ化鉄筋２３ａ、２３ｂ、２３ｃから伸びる橋軸直角方向の鉄筋の間を継ぎ鉄筋で連結することで構成する。その後、下床版鉄筋２２と上床版鉄筋２２が埋るように下床版コンクリート２４と上床版コンクリート２４を打設する。こうして波形鋼板ウエブ１８と上下床版コンクリート２４が相互に一体化した大型の橋梁ブロック１６が完成する。
【００４３】
上下床版コンクリート２４と波形鋼板ウエブ１８が一体化した橋梁ブロック１６が完成したとき、上下床版の橋軸方向の端部から鉄筋を突出させておき、前記橋梁ブロック１６を既設側として新設側の橋梁ブロック１６が完成したとき、既設側と新設側の橋軸方向鉄筋を連結するもので、その後、目地部コンクリートを打設し、既設側と新設側の橋梁ブロック１６同士を結合一体化できる。さらに、橋体ブロック１６同士は、外ケーブルにてプレストレスを導入して強固に一体化される。
【００４４】
本実施形態に係る架設工法を適用するメリットは、（１）波形鋼板ウエブと上下床版鉄筋を一体化した分割プレハブ化鉄筋を、桁先端での鉄筋連結作業や床版コンクリート打設工程と平行してヤードで製作し、架設工程と平行してヤードに分割プレハブ化鉄筋をストックできるので、製作工程と架設工程を別々に設定でき、工期が大幅に短縮できる。（２）分割プレハブ化鉄筋の製作は、工場または製作ヤードでの繰り返し作業で、品質の安定した構造物の製作と機械化施工に伴う合理化、省力化が可能になる等がある。
【図面の簡単な説明】
【００４５】
【図１】波形鋼板ウエブＰＣ橋における５室を有する大型橋梁ブロックの完成時の端面図である。
【図２】図１の橋梁ブロックにおける床版コンクリート打設前のプレハブ化鉄筋の端面図である。
【図３】（ａ）は、図２のプレハブ化鉄筋にける第１室を構成する分割プレハブ化鉄筋の端面図、（ｂ）は、同図（ａ）のＡ−Ａ矢視図である。
【図４】（ａ）は、図２のプレハブ化鉄筋にける第３室を構成する分割プレハブ化鉄筋の端面図、（ｂ）は、同図（ａ）のＢ−Ｂ矢視図である。
【図５】（ａ）は、図２のプレハブ化鉄筋にける第５室を構成する分割プレハブ化鉄筋の端面図、（ｂ）は、同図（ａ）のＣ−Ｃ矢視図である。
【図６】（ａ）、（ｂ）は、図３に示す第１室を構成する分割プレハブ化鉄筋の第１、第２製作工程説明図である。
【図７】（ａ）、（ｂ）は、図３に示す第１室を構成する分割プレハブ化鉄筋の第３、第４製作工程説明図である。
【図８】図３に示す第１室を構成する分割プレハブ化鉄筋の第５製作工程説明図である。
【図９】図３に示す第１室を構成する分割プレハブ化鉄筋の具体的構成図である。
【図１０】図９のＤ部の詳細図である。
【図１１】図９のＥ部の詳細図である。
【図１２】図９のＦ部の拡大図である。
【図１３】図９のＧ部の拡大図である。
【図１４】外側波形鋼板ウエブの傾斜を調整するジャッキを取り付ける支持枠の拡大図である。
【図１５】図１４のＨ部の拡大図である。
【図１６】従来のプレキャストセグメント張出し架設橋の側面図である。
【図１７】従来の波形鋼板ウエブ箱桁の断面図である。
【図１８】（ａ）は波形鋼板ウエブＰＣ橋（斜張橋）全体概要図、（ｂ）はその拡大側面図である。
【符号の説明】
【００４６】
１  橋脚    
２  柱頭部セグメント
３  中間支持台
４  架設桁
５  トレーラ
６  橋梁ブロック
７  架設機
８  波形鋼板ウエブ
１０  上床版
１１  下床版
１２  波形鋼板箱桁  
１３  鉄筋
１４  斜張橋
１５  橋梁
１６  橋梁ブロック
１７  複数の室
１８  波形鋼板ウエブ
１９  上床版
２０  下床版
２２  鉄筋
２３  プレハブ化鉄筋
２３ａ  分割プレハブ化鉄筋
２３ｂ  分割プレハブ化鉄筋
２３ｃ  分割プレハブ化鉄筋
２４    床版コンクリート
２５  製作台
２６  地面
２７  ジャッキ
２８  ウエブ調整支持用ジャッキ
２９  支持枠台
３０  斜材
３１  横桟
３２  間隔保持枠
３３  作業用足場
３４  高さ調整可能なブラケット
３５  高さ調整用ジャッキ
３６  上床版型枠
３７  鉄筋組立て用Ｌ鋼金具
３８  連結金具
３９  連結ピン
４０  凹部
４１  ハンチ部
４２  吊り金具
４３  引っ掛け孔
４４  添え腕
４５  角度調整棒
４６  足場板
４７  傾斜調整ジャッキ